(57)【特許請求の範囲】
【請求項１】
換気機器と、
前記換気機器を収納する本体ケースと、
空気吸入口及び空気吹出口の少なくともいずれか一方が形成され前記本体ケースの前面を覆うように設けられた前面パネルとを備えた換気装置において、
前記本体ケース及び前記前面パネルの何れか一方の四隅にそれぞれ設けられた係合部と、前記係合部に対応する他方の四隅にそれぞれ設けられ前記係合部に対して前方方向に着脱自在で、且つ回動自在に係合する被係合部と
を有することを特徴とする換気装置。
【請求項２】
前記係合部は、アーム部と該アーム部の先端に形成された膨出部とを含み、
前記被係合部は、前記膨出部を所定の力で把持しながら回動自在に枢支するとともに、所定以上の力が働いたとき前記膨出部を開放する弾性枢支部を含む
ことを特徴とする請求項１に記載の換気装置。
【請求項３】
前記空気吸入口及び前記空気吹出口の少なくともいずれか一方が、前記前面パネルの側面に形成されている
ことを特徴とする請求項１または２に記載の換気装置。
【請求項４】
前記本体ケースが、壁面に縦方向にも横方向にも取り付け可能とされている
ことを特徴とする請求項１から３のいずれか１項に記載の換気装置。
【発明の詳細な説明】
【技術分野】
【０００１】
この発明は、換気装置の前面パネルの開閉構造に関するものであり、特に上下或いは左右両方に開閉可能であるとともに本体ケースから着脱可能とする前面パネルを有する換気装置に関するものである。
【背景技術】
【０００２】
換気扇及び熱交換型換気扇等の換気装置は、清掃等のメンテナンスの必要から定期的に前面パネルを外す必要がある。換気装置は、一般に天井に近い壁面等に設置されるので、前面パネルの取り外し作業は脚立やはしごの上で行われることが多い。このため、換気装置の前面パネルの取り外しは容易にできることが望ましい。
【０００３】
前面パネルの取り外し作業を容易とするために、従来、以下のような提案がされている。すなわち、換気機器を収納する本体に対して、本体の前方を覆う形状で上方部を支点に本体に開閉自在で着脱可能に前面パネルを設け、前面パネル背面上部の左右に回動軸を持つアームを一対設け、前面パネルの回動軸が係合する斜め上方に向いた前後に長い軸孔を本体の前面側の左右に設ける。これにより、前面パネルの開放時に、前面パネルを本体に接触させずに取り外すことができるというものである（例えば、特許文献１参照）。
【０００４】
【特許文献１】特開２００５−３０００８８号公報
【発明の開示】
【発明が解決しようとする課題】
【０００５】
図１４は上記特許文献１に記載の換気装置の前面パネルを開閉する様子を示す模式図である。提案されている換気装置においては、前面パネル１５０を本体１６０に対して上方に開いた状態で、前面パネル１５０の回動軸を本体１６０から外す。しかしながら、一般に換気装置は、図１４に示すように天井２００に近接した垂直壁面２１０や図示しない横壁に近づいた垂直面に設置されることが多い。このような場合、前面パネル１５０が天井２００に接触してしまい取り外すことができない。特に、前面パネル１５０が空気吸入口や空気吹出口を有するもので、奥行き方向の厚さが大きいものである場合、天井２００との間に所定の距離を必要とする。
【０００６】
さらに、上記特許文献１に記載の換気装置においては、前面パネルを上方に開放した後、前面パネルの回動軸を本体１６０から外すので、その作業は高い位置でのものとなり、作業性が悪いばかりか、前面パネル１５０を落下させてしまうこともあるので改善が求められていた。
【０００７】
この発明は上述のような課題を解決するためになされたもので、前面パネルを両開きとすることができ、壁面と干渉しない方向に前面パネル開閉することが可能であるとともに、如何なる場所に如何なる方向で設置されても、容易に前面パネルを取り外すことができ、さらに前面パネルを落下させてしまうことがなく、メンテナンス作業を容易にすることができる換気装置を提供することを目的とする。
【課題を解決するための手段】
【０００８】
上記課題を解決するために、この発明に係る換気装置は、換気機器と、換気機器を収納する本体ケースと、空気吸入口及び空気吹出口が形成され本体ケースの前面を覆うように設けられた前面パネルとを備え、本体ケース及び前面パネルの何れか一方の四隅にそれぞれ設けられた係合部と、この係合部に対応する他方の四隅にそれぞれ設けられ前記係合部に対して前方方向に着脱自在で、且つ回動自在に係合する被係合部とを有することを特徴とする。
【０００９】
また、この発明に係る換気装置は、係合部は、アーム部とこのアーム部の先端に形成された膨出部とを含み、被係合部は、膨出部を所定の力で回動自在に枢支するとともに、所定以上の力が働いたとき膨出部を開放する弾性枢支部を含むことを特徴とする。
【００１０】
ここで、換気装置とは、室内と室外の空気を入れ換えるものは元より、室内の空気を換気するもの、室内の空気を循環させるもの等を含み、具体的には、換気扇、熱交換型換気扇、エアコン等を含む。
【００１１】
また、「膨出部」とは、膨らんだ形状を意味するものであり、つまりアーム部の先端にアーム部よりも外径の大きな形状のものが設けられていることを示している。
【発明の効果】
【００１２】
この発明に係る換気装置によれば、本体ケース及び前面パネルの何れか一方の両端部に設けられた係合部と、本体ケース及び前面パネルの他方の係合部と対応する位置に設けられ係合部に対して前方方向に着脱自在で、且つ回動自在に係合する被係合部とを有するので、両端に設けられた係合部及び被係合部のいずれかを選択して開放することにより、前面パネルを両開きとすることができる。これにより、壁面と干渉しない方向に前面パネル開閉することが可能となるので、如何なる場所に如何なる方向でも設置することができる。また、前面パネルを開放するようにすれば、前面パネルを落下させてしまうこともない。一方、両端に設けられた両方の係合部及び被係合部を開放することにより、前面パネルを前方に容易に取り外すことができ、メンテナンス作業を容易にすることができる。
【発明を実施するための最良の形態】
【００１３】
以下、本発明にかかる換気装置の実施の形態を図面に基づいて詳細に説明する。なお、この実施の形態によりこの発明が限定されるものではない。
【００１４】
実施の形態１．
図１はこの発明に係る換気装置の実施の形態１の前面パネルを下方から開けた様子を示す斜視図である。図２は図１の前面パネルを透過して示した斜視図である。換気装置１００は、概略長方形箱状の本体ケース６０と、本体ケース６０の前面を全体的に覆うように設けられた前面パネル５０とを有している。本体ケース６０は、送風機６５や熱交換機６６といった換気機器を収納している。前面パネル５０には、空気吸入口５１および空気吹出口５２が設けられている。
【００１５】
図３は本体ケース６０の四隅に被係合部３０が設けられた様子を示す斜視図である。長方形箱状の本体ケース６０の四隅の外周縁部には、それぞれ被係合部３０が設けられている。図４は前面パネル５０の四隅に係合部２０が設けられた様子を示す前面パネルを裏側からみた斜視図である。前面パネル５０の裏面の四隅の外周縁部には、それぞれ係合部２０が設けられている。
【００１６】
図５は本体ケース６０に設けられた被係合部３０を拡大して示す部分拡大図である。被係合部３０は、湾曲受部３１と弾性抜止部３２との２つの部材から構成されている。湾曲受部３１は、概略Ｃ字型の断面形状を成し、図５中Ｆ１，Ｆ２の矢印にて示すように湾曲するような弾性を有し、後述する係合部２０を押圧する押圧面３１ａを有している。一方、弾性抜止部３２は、本体ケース６０から片持ち梁状に延び、図５中Ｇ１，Ｇ２の矢印にて示すように湾曲する弾性を有する。弾性抜止部３２の先端には後述する係合部２０を回動自在に支持する支持曲面３２ａが形成されている。
【００１７】
図６は前面パネル５０に設けられた係合部２０を拡大して示す部分拡大図である。係合部２０は、前面パネル５０の内側面から湾曲しながら延びるアーム部２１と、このアーム部２１の先端に設けられた円板状の膨出部２２とから構成されている。膨出部２２の２つの主面のうち、図示しない被係合部３０の支持曲面３２ａと対向する面は、球面の一部として突出する球状突出面２２ａとされている。なお、他側の主面は平坦とされている。
【００１８】
図７は係合部２０と被係合部３０（３１，３２）とが係合する様子を示す断面図である。図７の左の図は、被係合部３０の湾曲受部３１と弾性抜止部３２に、係合部２０の膨出部２２が挟まれて支持されている様子を示しており、被係合部３０（３１，３２）に関しては、図５の矢印Ａの方向から見た断面図を示しており、係合部２０に関しては、図６の矢印Ｂの方向から見た断面図を示している。また、形状が明確となるように一点鎖線にて対応させて示した図７の右の図は、係合部２０を図６の矢印Ｃの方向から見た場合の輪郭を示している。
【００１９】
図７において、係合部２０は先端の膨出部２２を支持曲面３２ａと押圧面３１ａとで挟まれている。ここで、支持曲面３２ａは、球状突出面２２ａと同じ曲率半径の凹状の球面の一部にて構成されている。そのため、球状突出面２２ａと支持曲面３２ａとは、球面上で面接触している。そして、支持曲面３２ａは、球状突出面２２ａの頂部を覆うとともに頂部よりさらに図示しない前面パネル５０側までを覆うように延びている。また、湾曲受部３１は、図５での説明のようにＦ１，Ｆ２の矢印にて示すような弾性を有するので、係合部２０は、裏面の平坦面を湾曲受部３１の押圧面３１ａにより押圧されて、球状突出面２２ａを支持曲面３２ａに密着させるように付勢されている。そしてさらに、片持ち梁状に延びる弾性抜止部３２は、図５での説明のようにＧ１，Ｇ２の矢印にて示すように湾曲するような弾性を有する。この構成により、係合部２０は、膨出部２２の中心軸線を回転中心として回動自在に支持されているとともに、矢印Ｄ２方向に所定以上の力で引かれると外れ、逆に矢印Ｄ１方向に所定以上の力で押されると嵌る。ここで、湾曲受部３１及び弾性抜止部３２は、膨出部２２を所定の力で回動自在に枢支するとともに、所定以上の力が働いたとき膨出部２２を開放する弾性枢支部を構成している。
【００２０】
図８から図１１は係合部２０と被係合部３０との係合による本体ケース６０と前面パネル５０の関係を示す模式図であり、図８は本体ケース６０と前面パネル５０とが離れている様子を示す図であり、図９は本体ケース６０と前面パネル５０とが結合した様子を示す図であり、図１０は本体ケース６０に対して前面パネル５０が少し開いた様子を示す図であり、図１１は前面パネル５０がさらに開いた様子を示す図である。
【００２１】
本体ケース６０の被係合部３０と前面パネル５０の係合部２０とは互いに対向する位置に設けられており、図８の矢印Ｈに示されるように所定以上の力で押されると図９に示されるように嵌る。係合部２０と被係合部３０とが嵌る（係合している）状態では、係合部２０は、膨出部２２を回転中心として回動可能となるので、図１０及び図１１に示すように本体ケース６０に対して前面パネル５０が開閉可能となる。
【００２２】
図１２は天井２００近くの壁面２１０に壁面に設置された換気装置１００において前面パネル５０を下方に開く動作を説明する模式図である。換気装置１００の上側の係合部と被係合部の係合を解いて、下側の係合部を回転中心として回動させれば、前面パネル５０を上方に開口を向けて開けることができる。このように開閉することにより、前面パネル５０を落下させてしまうことがない。
【００２３】
図１３は天井２００近くの壁面２１０に設置された換気装置から前面パネルを手前に引き外す動作を説明する模式図である。上側と下側の係合部と被係合部の両方の係合を解くようにして前面パネル５０を手前に引っぱると、前面パネル５０を本体ケース６０から真っ直ぐ手前に取り外すことができる。このようにして取り外すようにすれば、換気装置１００を天井近傍或いは横壁近傍の壁面に設置することができる。このような着脱方法を用いることにより、側面に空気吸入口５１或いは空気吹出口５２等が形成された、厚さ（奥行き方向）の大きな前面パネルであっても壁面と干渉しないで取り外すことができる。
【００２４】
以上のように、本実施の形態の換気装置１００は、送風機６５や熱交換機６６を収納する本体ケース６０と、空気吸入口５１及び空気吹出口５２が形成され本体ケース６０の前面を覆うように設けられた前面パネル５０とを持ち、本体ケース６０及び前面パネル５０の何れか一方の両端部に設けられた係合部２０と、他方において係合部２０と対応する位置に設けられ係合部２０に対して前方方向に着脱自在で、且つ回動自在に係合する被係合部３０とを有している。
【００２５】
そのため、装置の両端に設けられた係合部２０及び被係合部３０のいずれか一方を開放することにより、前面パネル５０を両開きとすることができる。これにより、壁面と干渉しない方向に前面パネル開閉することが可能となるので、換気装置１００を如何なる場所に如何なる方向でも設置することができる。一方、装置の両端に設けられた両方の係合部２０及び被係合部３０を開放することにより、前面パネル５０を前方に容易に取り外すことができ、メンテナンス作業を容易にすることができる。
【００２６】
また、本実施の形態の換気装置１００においては、係合部２０は、アーム部２１とこのアーム部２１の先端に形成された膨出部２２とを含み、被係合部３０は、膨出部２２を所定の力で回動自在に保持するとともに、所定以上の力が働いたとき膨出部２２を開放する弾性枢支部（湾曲受部３１及び弾性抜止部３２）を含むので、簡単な構成にて着脱自在で且つ回動自在な構造を実現することができる。
【００２７】
なお、本実施の形態の弾性枢支部は、湾曲受部３１及び弾性抜止部３２にて構成されているが、これに限らず、膨出部２２を所定の力で回動自在に保持するとともに、所定以上の力が働いたとき膨出部２２を開放するものであれば、他の構造であってもよい。
【００２８】
また、本実施の形態の換気装置１００には、水平方向に長い所謂横型の換気装置であるが、垂直方向に長い所謂縦型であってもよい。また、本実施の形態の換気装置１００は、上下方向に両開きであるが、左右方向に両開きとしてもよい。
【産業上の利用可能性】
【００２９】
この発明は、換気扇、熱交換型換気扇、エアコン等の換気装置に適用されて好適なものであり、特に本体ケースに対して前面パネルを開閉可能とする換気装置に適用されて好適なものである。
【図面の簡単な説明】
【００３０】
【図１】この発明に係る換気装置の実施の形態１の前面パネルを下方から開けた様子を示す斜視図である。
【図２】図１の前面パネルを透過して示した斜視図である。
【図３】本体ケースの四隅に被係合部が設けられた様子を示す斜視図である。
【図４】前面パネルの四隅に係合部が設けられた様子を示す前面パネルを裏側からみた斜視図である。
【図５】本体ケースに設けられた被係合部を拡大して示す部分拡大図である。
【図６】前面パネルに設けられた係合部を拡大して示す部分拡大図である。
【図７】係合部と被係合部とが係合する様子を示す断面図である。
【図８】本体ケースと前面パネルの関係を示す模式図であり、本体ケースと前面パネルとが離れている様子を示す図である。
【図９】同じく本体ケースと前面パネルとが結合した様子を示す図である。
【図１０】同じく本体ケースと前面パネルとが少し開いた様子を示す図である。
【図１１】同じく前面パネルがさらに開いた様子を示す図である。
【図１２】壁面に設置された換気装置から前面パネルを下方に開く動作を説明する模式図である。
【図１３】壁面に設置された換気装置から前面パネルを手前に引き外す動作を説明する模式図である。
【図１４】従来の換気装置の前面パネルを開閉する様子を示す模式図である。
【符号の説明】
【００３１】
２０  係合部
２１  アーム部
２２  膨出部
２２ａ  球状突出面
３０  被係合部
３１  湾曲受部（弾性枢支部）
３１ａ  押圧面
３２  弾性抜止部（弾性枢支部）
３２ａ  支持曲面
５０  前面パネル
５１  空気吸入口
５２  空気吹出口
６０  本体ケース
６５  送風機（換気機器）
６６  熱交換機（換気機器）
１００  換気装置
【図１】
0004527071.tif 000002
【図２】
0004527071.tif 000003
【図３】
0004527071.tif 000004
【図４】
0004527071.tif 000005
【図５】
0004527071.tif 000006
【図６】
0004527071.tif 000007
【図７】
0004527071.tif 000008
【図８】
0004527071.tif 000009
【図９】
0004527071.tif 000010
【図１０】
0004527071.tif 000011
【図１１】
0004527071.tif 000012
【図１２】
0004527071.tif 000013
【図１３】
0004527071.tif 000014
【図１４】
0004527071.tif 000015